(57)【要約】【課題】  シャッター巻取シャフトの軸端近くの鋼管内に溶接した中子の溶接部が破断のときに、巻取シャフトの空転を検出すると共にシャッターの急降下を防止するシャフト空転防止装置を提供する。  【解決手段】  鋼管シャフト９の両端側に内中子１１ａ、外中子１１ｂを固着した軸首１１がそれぞれ挿合され、かつ外中子１１ｂの外縁が鋼管シャフト９内壁に全周溶接部１３されたシャッターのシャフト空転防止装置において、巻取シャフトの経年劣化に伴い、軸首１０と外中子１１ｂとの全周溶接部１２が破断してシャフト９の空転が起こったとき、軸首１０に設けたロックピン１７がシャフトロックの長孔１６内の正常位置にあるか否かを目視又は検出器により検出し、ロックピン１７が正常位置からずれて全周溶接部１２が破断状態にあるとき、電動開閉機４を停止させると同時にシャフトの回転を停止させることにより、シャッターの不測の急降下を未然に防止する。【選択図】    図１
2010138592.tif 000002
【特許請求の範囲】
【請求項１】
鋼管製巻取シャフトの軸首と外中子内周及び前記巻取シャフト端内壁と外中子外周とがそれぞれ全周溶接された建築用シャッターの巻取シャフトにおいて、
前記軸首部分に巻取シャフトの劣化に伴い、鋼管製シャフト端近くに固着した外中子と軸首との全周溶接部の破断により巻取シャフトの空転が起こったときに、前記外中子と軸首部分との回転方向のズレを検出できる空転防止装置を設け、
前記空転防止装置により外中子と軸首部分との回転方向の変位を検出して全周溶接部が破断状態にあることを確認することができると共に、シャッターカーテンの急降下を防止するようにしたことを特徴とするシャッター巻取シャフト軸固定装置。
【請求項２】
前記空転防止装置は、前記鋼管シャフト端に固着した外中子の外側同心位置で軸首に接近する位置に設けた複数のシャフトロックであって、前記シャフト軸首を挟んで向かい合うシャフトロックの対向辺に軸首回転方向と平行な少なくとも各々１つの長穴を設けたシャフトロックと、前記軸首に固着され、かつ前記ブラケットの長穴内の中央にそれぞれ挿入されたロックピンとからなり、
前記外中子と巻取シャフト軸首部との全周溶接部の破断により前記長穴内のロックピンが軸首回転方向に変位したことを検出することができるようにした請求項１に記載のシャッターの巻取シャフト軸固定装置。
【請求項３】
前記外中子の外面に設けた少なくとも１つのシャフトロックの水平辺付近に検出器が取付けられ、該検出器は巻取シャフトとの外中子との全周溶接部の破断によって生じる長穴内のロックピンの移動時に当接して溶接部破断を検出する検出器を備え、溶接部が破断したとき検出器のＯＮ信号により前記電動開閉機を停止させることでシャッターカーテンの急降下を防止するとともに開閉を強制的に停止させるようにした請求項１または２に記載のシャッターの巻取シャフト軸固定装置。
【発明の詳細な説明】
【技術分野】
【０００１】
本発明は、建築用シャッターの巻取シャフト軸固定装置に関する。
【背景技術】
【０００２】
建築用シャッターは、シャッター開閉機の駆動スプロケットと従動スプロケットとの間に掛けた無端チェーンに弛みを生じたときに、無端チェーン駆動側に常時弾力的に接するアームを設けた補助アームの回動変位を検出器で検知すると同時に無端チェーンに噛み合って従動スプロケットの回動制止することでシャッターカーテンの下降を防止するようにしている（特許文献１）。また、何らかの原因で、シャッターカーテンが急激に落下したときに、爪具の爪先が爪車から離れる方向に搖動する規制手段を設けてシャッターカーテンの急激な下降を防止するようにしたものも知られている（特許文献２）。
巻取シャフトは、シャッターの大きさ（幅、巻取り長さ、重量）により鋼管の肉厚、外形寸法が異なる何種類のものから最適の鋼管シャフトを選択して使用する。この巻取シャフトは鋼管、中子、軸首から構成され、これらを溶接で組立てることで一本の巻取シャフトとして完成されたものとなっている。通常、駆動側の軸は六角棒鋼を削りだしたものを使用し、中子の軸を差し込む穴も六角形になっており、空転防止対策を講じているが、鋼管、中子、軸首管間の溶接箇所が破断した場合にはシャッター重量によってシャフトが空転してシャッターが下降してしまうことが想定される。また、駆動チェーンが外れたり破断したりした場合には同様にシャッターが落下するので、その場合の落下乃至下降防止対策としてシャッター急降下停止装置が付設されている。
【０００３】
従来のシャッターは、軸首と外中子、外中子とシャフト（ドラム）とがそれぞれ全周溶接されており、駆動軸首は電動開閉機の作動で常に制動されている。シャッター停止持にはシャッター重量がシャフトに加わるが、外中子と軸首を溶接している軸の全周溶接部の一部に損傷が生じると危険であり、溶接部が切れた場合には、その部分でシャフトは空転し、シャッターが落下する恐れがある。外中子と軸首を溶接している全周溶接が切れた場合は、シャッター重量がシャフトにかかっているので、その部分でシャフトが空転する。
【特許文献１】特開２００７−３３２６０２号公報（第６頁２０〜３７行、図４〜６）。
【特許文献２】特許第３９４４５１３号公報（第４頁２２〜３３行、図２）。
【発明の開示】
【発明が解決しようとする課題】
【０００４】
建築用シャッターの巻取シャフトは、シャッターの構成部材として最も重要な役割をしているが、シャッター電動開閉機等が天井内またはケース等に設置されているため、その部材の点検が容易にできず、経年変化を起こしているとしてもその可能性を判断するだけで、直接確認をとることが取付け状態からして難しい。また、巻取シャフトの劣化にともない溶接部に破断が起きた場合には、シャフトが空転しシャッターが急降下してしまうという大きな問題があるため、シャフトの劣化にともない溶接部に破断を即時に検出及び確認することができるシャッタースラットの急降下を防止する装置の開発が望まれていた。
【０００５】
シャッター装置を構成する各種部材のうちの電動開閉機の駆動によりスラットを巻上げ、巻下ろし回転する巻取シャフトにおいて、巻取シャフトが経年劣化を起こした場合は、巻取シャフトを構成する鋼管と中子との溶接部分の中で最もトルクのかかるシャフト軸の全周溶接が切れる場合が考えられる。そのような現象が起こった場合には、シャフト軸の全周溶接部がスラットの重量に耐え切れずシャフトの空転によりスラットが急降下して大きな事故を招く恐れがある。巻取シャフトはシャターの構成部材として最も重要な役割をしているが、経年劣化により溶接部に破断が起きたとしても、その可能性を判断するだけで、直接確認をとることが取付け状態からして困難であった。
【０００６】
そのため、本発明は、巻取りシャフトと中子との溶接部の破断を検出して駆動部を緊急停止させてシャッターの急降下を阻止できるかどうか研究を重ねてきたが、これを解決するため、巻取シャフトの溶接部の破断によるシャフトの空転が起こったことを一目で確認できるチェック機能と急降下防止機能とを備えた装置を提供する。すなわち、巻取シャフトの劣化に伴い、シャフト軸と中子との溶接部の破断する場合がある。このような現象が起こったときに、シャッターの急降下を防ぐと共に、外部から溶接部の破断等によるシャフトの空転が起こったことを一目で確認できる機器（警報ブザー、ランプ等）を付設して電動開閉機の駆動を迅速に停止して予期しないシャッターの急降下を防止すると共に、シャッター点検時にも不具合症状の有無を確認することができるシャッターの急降下を防止するシャフト軸固定装置を提供することを目的としている。
【課題を解決するための手段】
【０００７】
上記目的を達成するため、請求項１に記載の発明は、鋼管製巻取シャフトの軸首と外中子内周及び前記巻取シャフト端内壁と外中子外周とがそれぞれ全周溶接された建築用シャッターの巻取シャフトにおいて；前記軸首部分に巻取シャフトの劣化に伴い、鋼管製シャフト端近くに固着した外中子と軸首との全周溶接部の破断により巻取シャフトの空転が起こったときに、前記外中子と軸首部分との回転方向のズレを検出できる空転防止装置を設け；前記空転防止装置により外中子と軸首部分との回転方向の変位を検出して全周溶接部が破断状態にあることを確認することができると共に、シャッターカーテンの急降下を防止するようにしたことを特徴とするシャッター巻取シャフト軸固定装置である。
請求項２は、前記空転防止装置は、前記鋼管シャフト端に固着した外中子の外側同心位置で軸首に接近する位置に設けた複数のシャフトロックであって、前記シャフト軸首を挟んで向かい合うシャフトロックの対向辺に軸首回転方向と平行な長穴を設けたシャフトロックと、前記軸首に固着され、かつ前記シャフトロックの長穴内の中央にそれぞれ挿入されたロックピンとからなり；前記外中子と巻取シャフト軸首部との全周溶接部の破断により前記長穴内のロックピンが軸首回転方向に変位したことを検出したとき、電動開閉機を停止させるとともにシャフトの回転を停止させるようにした請求項１に記載のシャッターの巻取シャフト軸固定装置である。
請求項３は、前記外中子の外面に設けた少なくとも１つのシャフトロックの水平辺に検出器が取付けられ、該検出器は巻取シャフトとの外中子との全周溶接部の破断によって生じる長孔内のヘッド付ロックピンの移動時に当接して溶接部破断を検出する検出器を備え、溶接部が破断したとき検出器のＯＮ信号により前記電動開閉機を停止させるとともに、シャッターカーテンの急降下を防止するようにした請求項１または２に記載のシャッターの巻取シャフト軸固定装置である。
【発明の効果】
【０００８】
上記のように、シャッター巻取シャフトの劣化に伴い、シャフト軸と外中子との全周溶接部が破断した場合に、溶接部の破断によるシャフトの空転が起こったことを一目で確認できる機能を備え、迅速にシャフト回転停止、シャッターの急降下防止などに対処できることができるため極めて有益である。
【発明を実施するための最良の形態】
【０００９】
以下、本発明の実施形態を図面に基づいて説明する。図１は、本発明の第１の実施形態に係るシャフト空転防止装置を備えたシャッターの正面図、図２は図１のシャッター駆動部の拡大断面図である。
シャッター装置１は、基本的に建物開口部等の天井２ｂ等の内部に納められ鋼管製の巻胴（巻取シャフト）９を横置してシャッターカーテンまたはスラット７を巻付けている。シャッターカーテン７は通常、巻胴９に巻取られてまぐさ２ａの上部に収納されている。巻胴９は鋼管端に外中子１１ｂ及び管端より適当距離はなれた内壁部に内中子１１ａを配置し、その外縁を管内壁にそれぞれ全周溶接１２、１３して左右のシャッターの軸首１０をそれぞれ固着して左右一対の軸受けブラケット３、３に支持させている。シャッターを閉める場合には、電動開閉機４を介しシャフトを逆回転することにより建物内の開口部の壁に埋設したガイドレール８、８に沿ってスラット７を降下させることで開口部を閉鎖する。  
【００１０】
図１は本発明シャフト空転防止装置を備えたシャッターの正面図、図２は図１のシャッター駆動部の拡大側面図である。
本発明シャフト空転防止装置を備えたシャッターは、図１に示すように、主に建物内の開口部、天井２ｂ内等に軸受ブラケット３、３を設けてシャッター巻取シャフト（鋼管巻胴）９を軸支すると共に、一方には開閉機ブラケット４ａを設けて電動開閉機４を取付ける。廊下、出入口など建物開口部の左右両壁側には巻取シャフト９から引き下ろしたスラット（シャッターカーテン）７を案内するガイドレール８、８を設けている。軸首１０とシャフトスプロケット６ａはキーにより固定されており、電動開閉機の出力軸の回転に伴ってシャフトスプロケットが回転し、同時に巻取シャフト９も回転するが、常に、シャフト軸首１０には常時大きなトルクがかかっている。
【００１１】
図３は、図１に示すシャッター巻取軸の駆動部側を拡大示したもので、（ａ）はシャフト軸首部分に溶接した外中子の外側面４箇所に頭付ロックピンを挿入しているシャフトロックを固着させた状態を示す拡大側面図、（ｂ）は同じく外中子の外側面４箇所に固着したシャフトロックに各２本、計８本の頭付きロックピンを用いて固着させた状態の拡大側面図である。
シャフトスプロケット６ａは軸首１０にキーにより固定されており、シャフトスプロケット６ａの回転と同時にシャフトも回転する。常に軸首１０には大きなトルクがかかっている。巻取シャフトの溶接部の破断によるシャフトの空転が起こったことを一目で確認できる装置を巻胴の電動開閉機で駆動される側の軸首部分に付設したものである。巻取シャフトにおいて、巻取シャフトの劣化に伴い、シャフト軸とフランジとの溶接部の破断する場合がある。このような現象が起こったときに、シャッターの急降下を防ぐと共に、外部から溶接部の破断によるシャフトの空転が起こったことを一目で確認でき、また、検出器によりシャッターを停止させることができる装置を取付ける。すなわち、巻取シャフト９の溶接部１２又は１３の破断によるシャフトの空転が起こったことを一目で確認できるシャフト軸首と外中子との間に空転防止装置２０を設ける。
【００１２】
図２に示すように、駆動側（電動開閉機設置側）のシャフト軸首１０にキーを用いてシャフトスプロケット６ａを固着すると共に、軸受けブラケット３の側方に開閉機ブラケット４ａを設けて電動開閉機４を取付け、その出力軸端にスプロケット５を突出させ、両スプロケット６ａ、５間に駆動チェーン６を巻き掛けている。軸首１０とシャフトスプロケット６ａはキーにより固定されており、シャフトスプロケット６ａの回転と同時にシャフト９も回転し、常に軸首１０には大きなトルクがかかっている。図３（ａ）、（ｂ）について詳述するように、軸首１０とシャフトスプロケット６ａはキーにより固定されており、シャフトスプロケット回転と同時に巻取シャフト９も回転するため、常に軸首１０には大きなトルクがかかっている状態である。
【００１３】
図３（ａ）はシャフト軸首部分に４本の頭付きロックピンを各々のシャフトロックに挿入し、固定したシャフト空転防止装置の拡大側面図、（ｂ）は同じく２軸×４本、計８本の頭付きロックピンを各々のシャフトロックに挿入し、固定したシャフト空転防止装置の拡大側面図である。
図３に示すように、鋼管製巻取シャフトの軸首と外中子内周及び巻取シャフト端内壁と外中子外周とがそれぞれ全周溶接されている。軸首部分に巻取シャフトの劣化に伴い、鋼管製シャフト端近くに固着した外中子と軸首との全周溶接部の破断により巻取シャフトの空転が起こったときに、外中子と軸首部分との回転方向のズレが確認できる空転防止装置（図３ａ、３ｂ参照）を設ける。空転防止装置により外中子と軸首部分との回転方向の変位を検出して全周溶接部が破断状態にあることを確認でき、またシャッターカーテンの急降下を防止するようにしてある。
【００１４】
前記空転防止装置は、鋼管シャフト端に固着した外中子の外側同心位置で軸首に接近する位置に設けた複数のシャフトロックであって、シャフト軸首を挟んで向かい合うシャフトロックの対向辺に軸首回転方向と平行な長穴（長孔）を設けたシャフトロックと、前記軸首に固着され、かつ前記ブラケットの長穴内の中央にそれぞれ挿入されたロックピンとから構成されている。外中子と巻取シャフト軸首部との全周溶接部の破断により前記長穴内のロックピンが軸首回転方向に変位したことを検出することができる。図３（ｂ）は、シャフト軸首部部分を４本２列、計８本の頭付きロックピンを各々のシャフトロックに挿入し、軸首に固定した例のシャフト空転防止装置の拡大側面図である。
【００１５】
図４はロックピンを省略してシャフトと軸首との固定状態を示すもので、図４（ａ）は縦断面図、図４（ｂ）は側面図である。図示のように、巻取シャフト（鋼管巻胴）９の両端に挿設された軸首１０は、外中子１１ｂの内周と軸首１０とが全周溶接１２され、かつ外中子１１ｂの外周と巻取シャフト（鋼管）端の内壁とが全周溶接１３されている。外中子１１ｂの外面同じ円周上に、４個のアングル状シャフトロック１４、１４を固着し、かつ各シャフトロック１４、１４の軸首と並行する辺にシャフト回転方向に延びる長穴１６をあけて図３（ａ）の様に軸首部分に捻じ込んだ頭（ヘッド）付きロックピン１７を挿入するようにしてある。軸首１０に外中子１１ｂを組付ける際には、各ロックピン１７をそれぞれ長孔１６の中央位置に設定しておく。なお、巻取シャフト（鋼管巻胴）９の両端に挿設された軸首１０は、外中子１１ｂの内周と軸首１０とが全周溶接１２され、かつ外中子１１ｂの外周と巻取シャフト（鋼管）端の内壁とが全周溶接１３されている。軸首部分に４本の頭付きロックピン１７ａ、１７ａ（図４では図示省略）を各々のシャフトロックに挿入し、軸首に固定したシャフト空転防止装置とする。
図５ａは外中子の外面に溶接部をかわす例としてスペーサ１８を介してシャフトロック１４を固着した場合の断面図、図５ｂはその側面図である。この例も、ロックピン移動端近くに巻取シャフトの全周溶接部１２又は１３の破断によるロックピンの変位を検出することができるとともに、シャッターカーテンの急降下を防止する。
【００１６】
この発明は、建築用シャッターの巻取シャフトにおいて、鋼管製シャフト９近くに固着した外中子１１ｂと軸首１０との溶接部１２が、巻取シャフト９の劣化に伴い破断して巻取シャフトの空転が起こったことを確認できる空転防止装置２０を外中子１１ｂと軸首１０との間に設けると共に、破断状態を目視により確認でき、またシャッターカーテン７の急降下を防止する。
前述の空転防止装置２０は、鋼管シャフト端に固着した外中子１１ｂの外側同心位置に複数組のシャフトロックを設け、各シャフトロックのシャフト軸首１０と並行する辺に軸首回転方向と平行する長穴（孔）１６を設けて軸首１０に固着するロックピン１７をそれぞれ挿入し、巻取シャフト９の全周溶接部１２、１３の破断によるシャフトの空転が起ったとき長孔１６内のロックピン１７の位置・変位を検出器１９を用いることで検出すると同時に、シャッター電動開閉機４を停止してシャフトの回転を緊急停止とすると共に、異常を知らせる信号、警報音、警報ランプ点滅させてシャッターカーテン７の駆動を停止する。
検出器１９としては、図６（ａ）に示すように、軸首１０と並行するシャフトロック１４の長孔１６内に位置するロックピン１７に当接するレバーまたはピンを有するロットレバー形又はローラレバー形アクチュエータを備えた検出器（リミットスイッチ）などが使用される。長孔１６に対してロックピン１７が中央位置から偏った位置に移動しているかどうか目視して確認したとき、溶接部破断と判断し、手動で電動開閉機４を操作しモータを停止させるか、自動的に検出する場合には、信号検出→コントロラ→電動開閉機を自動停止、図示省略の警報発生ブザーなどの異常を知らせる信号も出力すると同時に警報ランプ点滅させる。
【００１７】
図６（ａ）は図３に示す頭付ロックピンと長孔との関係を示すもので、（ａ）は巻取シャフト通常回転時、（ｂ）は巻取シャフト空転時の側面図である。
空転防止装置２０は、鋼管シャフト端に固着した外中子９ａの外側同心位置に複数のシャフトロック１４を設け、各ブラケットのシャフト軸首１０と並行する辺に軸首回転方向と平行する長孔１６を設けて軸首に固着した頭付きロックピン１７をそれぞれ挿入してある。ロックピン１７の移動端近くに例えばマイクロスイッチ、リミットスイッチなどの検出器１９が設けられており、巻取シャフト９の全周溶接部１２、１３の一方又は双方が破断してシャフトの空転が起って長孔１６内のロックピン１７の位置・変位を検出すると、シャッター電動開閉機４を停止させて緊急停止をすると共に、警報音、警報ランプ点滅させてシャッターカーテン７の駆動を停止する。なお、シャフトロック１４に長孔１６が設けられており、平常時には図６ａに示すように、長孔１６のほぼ中央にロックピン１７が配置され、図６ｂのように、長孔１６の端にロックピン１７が移動しているときには、シャフトの空転が予測され、異常信号を出力して緊急停止、警報を発し、または警報ランプが点滅する。
【００１８】
本発明の特徴を列記すると下記のとおりである。
(イ)シャフト軸（軸首）と外中子との全周溶接部１２が破断したとしても空転は起こらず、シャターの下降を未然に防ぐことができる。
(ロ)シャフトロックに長穴１６が設けられており、通常時にはその長穴の中心に軸首に固定されている頭付ロックピン１７がセットされている（図３又は図６）。
（ハ）シャフトロック１４は外中子１１ｂに固定されており、その固定方法は溶接、ボルト締め等で固定する。
（ニ）ロックピン１７がシャフトロックの長孔１６端部に位置している場合はシャフトが空転している可能性が高いと判断する（図６ｂ）。
（ホ）シャフトに空転が起きていることが、シャフトロックの長孔１６内のロックピン１７の位置関係より外部から一目で判断することができる。
（ヘ）ロックピンはシャッターの仕様、サイズなどによって本数を設定できる。
（ト）ロックピン１７の形状は、同様な役割、機能を発揮するものであればよく、図示のものに限定されない。ロックピンが複数の場合の取付けピッチはシャッターの仕様等を考慮して設定することができる。
（チ）ロックピンの変位を検出する検出器を設けることで異常信号の出力とともにシャッターの駆動を停止させることができる。
このように、構成されているため、巻胴の繰り返し回動により中子と巻取シャフト（鋼管巻胴）９と外中子１１ａとの溶接部１３や軸首１０と中子１１ａ、１１ｂとの全周溶接部１２、１２の疲労や損傷により巻胴と軸首との間に回転ズレが生じてロックピン１７が変位したことにより、軸固定用の全周溶接部分の破断を確認できる。
【００１９】
上記のように構成された本発明シャッター軸固定装置の動作について説明する。
空転防止装置２０としては、シャフト軸首１０と外中子１１ｂとの間に、例えば、ロッドレバー形リミットスイッチのごとき検出器１９（図６ｂ）を設け、検出器１９がＯＮのとき警報装置（図示省略）を作動すると同時にシャッター駆動制御開閉器をＯＦＦに切り替え巻取シャフト９を停止してシャッターカーテンの駆動を停止させる。すなわち、破断検出信号→コントローラ→シャッター軸緊急回転停止と警報音、警報ランプ点滅などによって中子の全周溶接部１３の破断によるシャッターの不具合を周知させる。
【００２０】
図６は、シャフト軸首１０に設けたロックピン１７と、外中子１１ｂの外側面に固着したシャフトロックの軸首と平行な辺に明けたロックピン挿入用長孔１６との関係を示すもので、（ａ）は巻取シャフトと外中子との全周溶接部が正常状態にあるときの正面図、（ｂ）は同溶接部破断による巻取シャフト空転時の正面図である。
全周溶接部が正常状態にあるときとは、図６（ａ）に示すように、巻取シャフトの軸首１０に立てたロックピン１７（図４は４本）を、外中子１１ｂの側面に固着させたシャフトロック１４に挿入させ、固定した軸首１０の軸方向と平行な辺にあけた長孔１６の略中央に静止しているときには、外中子１１ｂの全周溶接部が正常状態にある。巻取シャフト９の経年劣化に伴い、シャフト軸首１０と内中子１１ａ又は外中子１１ｂとの溶接部１２又は１３が空転したときには、図６ｂに拡大示したように、軸首に立てたロックピン１７が長孔１６内の回転方向に移動するためシャフトと軸首との溶接部の破断を確認できる。このように、外部から溶接部１２及び/または１３の破断による巻取シャフト９の空転が起こったことを一目で確認したときには、迅速に警報ランプ起動やシャフト回転停止などに対処できるため、シャッターの急降下を未然に防止できる。通常は、空転検出しても出力信号は出さずシャッターも停止しないが、設備、管理の要望を受けて空転検出時に、出力信号を出すと共にシャッタを停止させる。その場合には、前述したように、リミットスイッチＯＮ信号→コントロラ→緊急停止と警報音、警報ランプ点滅などを自動的に行ってもよい。
【００２１】
上記のように、建築用シャッターの巻取シャフト軸首部分に巻取シャフトの劣化に伴い、鋼管製シャフト端近くに固着した中子と軸首との全周溶接部が破断して巻取シャフトの空転が起ってロックピンが正常設定位置からずれているとき、巻取シャフト軸の溶接部破断によるシャフトの空転が起こったことを一目で確認できる検出装置を設けたので、巻取シャフトのシャフト軸首と外中子との溶接部の破断時に迅速にシャフト回転停止などに対処できるため、シャッターの不測の急降下を未然に防止することができる。
【図面の簡単な説明】
【００２２】
【図１】は本発明シャフト空転防止装置を備えたシャッターの正面図である。
【図２】は図１のシャッター駆動部の拡大側面図である。
【図３】は、シャッター巻取軸の固定部を拡大示したもので、（ａ）はシャフト軸首部部分に溶接した外中子の外側面４箇所に頭付きロックピン締付け用のブラケットを固着させた状態を示す拡大断面図、（ｂ）は同じく外中子の外側面４箇所に固着したブラケットに各２本、計８本のロックピンを用いて固着させた状態の拡大側面図である。
【図４】（ａ）はシャフト軸首部分を４本２列、計８本の頭付きロックピンで締め付けたシャフト軸固定部の拡大縦断正面図、（ｂ）は同側面図である。
【図５】はシャフト軸首部分を４本２列、計８本の頭付きロックピンで締め付けたシャフト軸固定装置の拡大側面図である。
【図６】は、シャフト軸首に設けた頭付きロックピンと、外中子の外側面に固着したブラケットの軸首と平行な辺に明けたロックピン挿入用の長孔との関係を示すもので、（ａ）は巻取シャフトと外中子との溶接部が正常状態にあるときの側面図、（ｂ）は同溶接部破断による巻取シャフト空転時の側面図である。
【符号の説明】
【００２３】
１  シャッター装置                  ２ａ  まぐさ      ２ｂ  天井
３  軸受ブラケット                  ４  電動開閉機  
４a  開閉機ブラケット               ５  スプロケット  
６  駆動チェーン                    ６a  シャフトスプロケット
７  スラット（シャッターカーテン）  ８  ガイドレール
９  巻取シャフト（鋼管巻胴）        １０  軸首  
１１ａ  内中子                      １１ｂ  外中子
１２  軸首と中子との溶接部          １３  外中子の全周溶接部  
１４  シャフトロック                １６  長孔          
１７ａ  頭付きロックピン            １７ｂ  ロックピン
１８  スペーサ                      １９  検出器（リミットスイッチ）
２０  空転防止装置
【図１】
2010138592.tif 000003
【図２】
2010138592.tif 000004
【図３】
2010138592.tif 000005
【図４】
2010138592.tif 000006
【図５】
2010138592.tif 000007
【図６】
2010138592.tif 000008